(57)【特許請求の範囲】
【請求項１】
Ｕ字状に形成されたリムを有する洋式トイレに適用される猫用トイレであって、
前記リムの上面に沿うように形成され、前記リム上に配置される枠部と、
前記枠部に接続され、下方に凹んだ平面視で矩形状の載置部と、を有し、
前記枠部は、
前記リムの上面における前端部及び両側方の前側の部分に対応し、平面視で半円状に形成されたプラットフォーム部と、
前記リムの上面における両側方の後ろ側の部分のそれぞれに対応し、各々が前記プラットフォーム部に接続された２つの側方支持部と、を有し、
前記載置部は、
一方の前記側方支持部の内側の端部と、他方の前記側方支持部の内側の端部と、に接続されている、猫用トイレ。
【請求項２】
Ｕ字状に形成されたリムを有する洋式トイレに適用される猫用トイレであって、
前記リムの上面に沿うように形成され、前記リム上に配置される枠部と、
前記枠部に接続され、下方に凹んだ形状の載置部と、を有し、
前記枠部は、
前記リムの上面の前半分に対応し、平面視で半円状に形成されたプラットフォーム部と、
前記リムの上面の後ろ半分における両側方の部分のそれぞれに対応し、各々が前記プラットフォーム部に接続された２つの側方支持部と、を有し、
前記載置部は、
一方の前記側方支持部の内側の端部と、他方の前記側方支持部の内側の端部と、に接続されている、猫用トイレ。
【請求項３】
前記載置部は、平面視で左右方向を長辺とする長方形状に形成されている、請求項１又は２に記載の猫用トイレ。
【請求項４】
前記載置部は、
一方の前記側方支持部の内側の端部から下方に延びる第１側壁部と、
他方の前記側方支持部の内側の端部から下方に延びる第２側壁部と、
前記プラットフォーム部の平面視で直線状の後端部における前記第１側壁部と前記第２側壁部との間の部分から下方に延びる前壁部と、
前記第１側壁部及び前記第２側壁部のそれぞれの下端部に接続された底部と、を有する、請求項１〜３の何れか一項に記載の猫用トイレ。
【請求項５】
前記載置部は、
前記第１側壁部及び前記第２側壁部に接続された後壁部をさらに有する、請求項４に記載の猫用トイレ。
【請求項６】
前記底部は、少なくとも中央の箇所を含む領域に、穴状又は切欠き状である１つの開口部が形成されている、請求項４又は５に記載の猫用トイレ。
【請求項７】
前記枠部と前記載置部とは、射出成形により一体的に形成されたものである、請求項１〜６の何れか一項に記載の猫用トイレ。
【請求項８】
前記リムに面で接触する接触面をもつように弾性材料で形成され、前記枠部の下面に取り付けられる少なくとも１つの弾性部材をさらに有する、請求項１〜７の何れか一項に記載の猫用トイレ。
【請求項９】
前記プラットフォーム部及び各側方支持部のそれぞれには、少なくとも１つの前記弾性部材が取り付けられている、請求項８に記載の猫用トイレ。
【請求項１０】
前記プラットフォーム部と一方の前記側方支持部とに跨って取り付けられる前記弾性部材と、前記プラットフォーム部と他方の前記側方支持部とに跨って取り付けられている前記弾性部材と、を有する、請求項８又は９に記載の猫用トイレ。
【請求項１１】
前記枠部は、前記弾性部材の位置決め用であり、前記弾性部材よりも高さが低い複数の位置決め部材を有し、
各弾性部材には、それぞれ、１又は複数の前記位置決め部材が対応づけられている、請求項８〜１０の何れか一項に記載の猫用トイレ。
【請求項１２】
前記枠部は、板状に形成されており、その外周には、他の部分よりも厚みのある補強部が形成されている、請求項１〜１１の何れか一項に記載の猫用トイレ。
【請求項１３】
前記リムの上面に付けられる、前記枠部の安定載置用の少なくとも１つの受け部と、
前記枠部の下面に設けられた、少なくとも１つの突起部と、を有し、
前記突起部は、直方体状に形成されており、
前記受け部は、前記リムの上面の、前記突起部に対応する位置に付けられ、前記突起部が嵌められる直方体状の溝部を有する、請求項１〜７の何れか一項に記載の猫用トイレ。
【請求項１４】
前記洋式トイレは、操作パネルを備えたコントローラ部を有しており、
前記操作パネルの上部を覆い、前記操作パネルへの接触を防ぐパネルカバーをさらに有する、請求項１〜１３の何れか一項に記載の猫用トイレ。
【請求項１５】
請求項１〜１４の何れか一項に記載の猫用トイレと、
前記載置部に配置する排尿容器と、を有する、猫用トイレキット。
【請求項１６】
前記洋式トイレが便座及び貯水タンクを有しており、
請求項１〜１４の何れか一項に記載の猫用トイレと、
前記便座を前記貯水タンクに固定する固定部材と、を有する、猫用トイレユニット。
【発明の詳細な説明】
【技術分野】
【０００１】
本発明は、猫用トイレ、猫用トイレキット、及び猫用トイレユニットに関する。
【背景技術】
【０００２】
従来から、部屋の隅などに配置され、猫が排泄時に使用する猫用トイレが知られている（例えば、特許文献１参照）。特許文献１の猫用トイレは、液透過性の簀の子で区画された上層部分に排泄物処理剤が敷き詰められ、下層部分にはトレイが配置されている。そして、この猫用トイレは、排泄物処理剤の滞留を抑制するため、簀の子の形状に工夫が施されている。
【先行技術文献】
【特許文献】
【０００３】
【特許文献１】特開２００７−１７４９１８号公報
【発明の概要】
【発明が解決しようとする課題】
【０００４】
しかしながら、部屋に配置される猫用トイレの場合、特許文献１のように簀の子の形状等に工夫を凝らしても、猫が排泄した後は、排泄物から発生する臭気が部屋に充満する。また、従来の猫用トイレの場合、猫は排泄物処理剤の上で排泄する。したがって、排泄を済ませた猫は、排泄物の付着等した排泄物処理剤を猫用トイレの周囲に撒き散らしたり、排泄物処理剤が足に付いた状態で部屋中を動き回ったりする。そのため、排泄物処理剤が各所に散らばり、雑菌の付着及び繁殖により室内が不衛生な状態となる。
【０００５】
本発明は、上述のような課題を解決するためになされたものであり、猫の排泄物から発生する臭気の部屋での拡散を防ぐと共に、排泄物処理剤が各所に散らばることを抑制する猫用トイレ、猫用トイレキット、及び猫用トイレユニットを提供することを目的とする。
【課題を解決するための手段】
【０００６】
本発明の一態様に係る猫用トイレは、Ｕ字状に形成されたリムを有する洋式トイレに適用される猫用トイレであって、リムの上面に沿うように形成され、リム上に配置される枠部と、枠部に接続され、下方に凹んだ平面視で矩形状の載置部と、を有し、枠部は、リムの上面における前端部及び両側方の前側の部分に対応し、平面視で半円状に形成されたプラットフォーム部と、リムの上面における両側方の後ろ側の部分のそれぞれに対応し、各々がプラットフォーム部に接続された２つの側方支持部と、を有し、載置部は、一方の側方支持部の内側の端部と、他方の側方支持部の内側の端部と、に接続されている。
【０００７】
本発明の一態様に係る猫用トイレキットは、上記の猫用トイレと、載置部に配置する排尿容器と、を有するものである。
本発明の一態様に係る猫用トイレユニットは、洋式トイレが便座及び貯水タンクを有しており、上記の猫用トイレと、便座を貯水タンクに固定する固定部材と、を有するものである。
【発明の効果】
【０００８】
本発明によれば、洋式トイレのリム又は便座の上面に沿うように形成された枠部を有することから、部屋での猫の排泄をなくし、且つ排泄の際の足場を猫に与えることができる。そのため、猫の排泄物から発生する臭気の部屋での拡散を防ぐと共に、排泄物処理剤が各所に散らばることを抑制することができる。
【図面の簡単な説明】
【０００９】
【図１】本発明の実施の形態１に係る猫用トイレユニットを例示した斜視図である。
【図２】図１の猫用トイレの構成を示す斜視図である。
【図３】図１の猫用トイレの底面図である。
【図４】図３のＡ−Ａ線に沿った断面図である。
【図５】本発明の実施の形態１に係る猫用トイレキットの構成を例示した説明図である。
【図６】図５の猫用トイレキットの容器に排泄物処理剤を敷いた状態を例示した説明図である。
【図７】洋式トイレに配置された図１の猫用トイレを猫が使用している様子を示す説明図である。
【図８】本発明の実施の形態１に係る猫用トイレキットの拡張例を示す説明図である。
【図９】図１の猫用トイレを用いて行う猫のしつけ及び尿の採取に関する流れを例示したフローチャートである。
【図１０】本発明の実施の形態１に係る猫用トイレキットの他の拡張例を示す説明図である。
【図１１】図１の猫用トイレが図３とは異なる形状の突起部を有する一例を示す説明図である。
【図１２】図１の猫用トイレが図３とは異なる形状の突起部を有する他の例を示す説明図である。
【図１３】本発明の実施の形態１に係る猫用トイレの後付け用の突起部を例示した斜視図である。
【図１４】本発明の実施の形態１に係る猫用トイレキットが受け皿を有しない例を示す説明図である。
【図１５】本発明の実施の形態１の変形例１ａに係る猫用トイレの受け部が洋式トイレのリムに付けられた状態を例示する斜視図である。
【図１６】本発明の実施の形態１の変形例１ｂに係る猫用トイレの受け部を例示した斜視図である。
【図１７】本発明の実施の形態１の変形例１ｃに係る猫用トイレの突起部を例示する斜視図である。
【図１８】本発明の実施の形態１の変形例１ｃに係る猫用トイレの受け部を例示する斜視図である。
【図１９】本発明の実施の形態１の変形例１ｄに係る猫用トイレを例示した斜視図である。
【図２０】本発明の実施の形態１の変形例１ｅに係る猫用トイレの一例を示す斜視図である。
【図２１】本発明の実施の形態１の変形例１ｅに係る猫用トイレの他の例を示す斜視図である。
【図２２】本発明の実施の形態２に係る猫用トイレの底面図である。
【図２３】図２２のＢ−Ｂ線に沿った部分断面図である。
【図２４】図２２の弾性部材及び位置決め部材を例示した斜視図である。
【図２５】本発明の実施の形態２に係る猫用トイレの位置決め部材の他の例を示す斜視図である。
【図２６】本発明の実施の形態２に係る猫用トイレの弾性部材の他の例を示す斜視図である。
【図２７】本発明の実施の形態２の変形例２ａに係る猫用トイレの底面図である。
【図２８】本発明の実施の形態３に係る猫用トイレの一例を示す斜視図である。
【図２９】本発明の実施の形態３に係る猫用トイレの他の例を示す斜視図である。
【図３０】本発明の実施の形態４に係る猫用トイレの底部の一例である。
【図３１】本発明の実施の形態４に係る猫用トイレの底部の他の例である。
【図３２】本発明の実施の形態５に係る猫用トイレを例示した斜視図である。
【図３３】図３２のパネルカバーをコントローラ部に取り付けた状態を示す部分拡大図である。
【発明を実施するための形態】
【００１０】
実施の形態１．
図１〜図４を参照して、本実施の形態１の猫用トイレ及び猫用トイレユニットについて説明する。図１〜図４に示すように、ｘ軸方向を前後方向とし、ｙ軸方向を左右方向とし、ｚ軸方向を上下方向とする。特に、ｘ軸正方向を前方向とし、ｚ軸正方向を上方向とする。以下の各図においても同様であり、各軸は適宜省略する。
【００１１】
図１に示すように、本実施の形態１の猫用トイレユニット１１０は、洋式トイレ２００及びその周辺に配置されて使用されるものであり、猫用トイレ１０と、固定部材８０と、開放部材９０と、を有している。洋式トイレ２００は、例えば、扉部３１０をもつ個室であるトイレ室３００に配置される。扉部３１０は、トイレ室３００の出入り口に配置され、ドア枠３２０と、ドア本体３３０と、を有している。扉部３１０のドア本体３３０が開いた状態のとき、トイレ室３００への入室又はトイレ室３００からの退室を行うことができる。なお、図１では、トイレ室３００の中が見えるように、ドア本体３３０の輪郭だけを示している。
【００１２】
ここで、洋式トイレ２００は、リム２２０を有する便器本体２１０と、便座２３１と、便座カバー２３２と、貯水タンク２４０と、レバー２４２と、を備えている。リム２２０は、便器本体２１０の上部の構成であり、平面視でＵ字状に形成されている。すなわち、リム２２０は、便器本体２１０の上部における、後端部を除いた部分である。ここで、Ｕ字状には、楕円の長軸に沿う方向の一端部を切り欠いた蹄鉄のような形状も含まれる。リム２２０は、円環状に形成された便座２３１を下げた状態で、便座２３１により覆われる部分である。
【００１３】
図１に例示する洋式トイレ２００は、一方の側方に、おしり洗浄などの操作を受け付けるコントローラ部２５０を有している。コントローラ部２５０は、例えば、リム２２０の何れかの側方から便座２３１の後端に亘って設けられている。コントローラ部２５０は、上面に、ユーザの操作を受け付ける各種の操作ボタン（図示せず）が設けられた操作パネル２５１を有している。操作パネル２５１上の操作ボタンには、水又はお湯でのおしり洗浄を指示するためのおしりボタン等がある。
【００１４】
猫用トイレ１０は、洋式トイレ２００に適用されるものであり、内周部２８を有する枠部２０と、枠部２０の内周部２８に接続された載置部３０と、を有している。枠部２０は、リム２２０の上面に沿うように形成され、リム２２０上に配置される。載置部３０は、枠部２０の内周部２８に接続され、下方に凹んだ形状となっている。
【００１５】
固定部材８０は、便座２３１を貯水タンク２４０に固定することにより、便座２３１が上がった状態を維持するためのものである。図１では、洋式トイレ２００が便座カバー２３２を有する例を示しているため、固定部材８０は、便座２３１及び便座カバー２３２が下がるのを防ぐように構成されている。
【００１６】
固定部材８０は、フック部８１と、連結部８２と、固着部８３と、を有している。フック部８１は、便座２３１に引っ掛けられる鉤状の部材である。連結部８２は、フック部８１と固着部８３とを連結する部材である。固着部８３は、トイレ室３００の壁又は貯水タンク２４０等に取り付けられる部材であり、鉤状の係合部８３ａを有している。図１では、連結部８２が、紐状の中継部８２ａと、ループ状の取付部８２ｂと、を有する例を示しており、取付部８２ｂは、係合部８３ａに引っ掛けられている。もっとも、固着部８３の形状は、図１の例に限定されず、種々の形状を採ることができる。
【００１７】
ここで、固定部材８０は、固着部８３を有さなくてもよい。この場合は、例えば、フック部８１を便座２３１に引っ掛けた状態で、連結部８２の取付部８２ｂをレバー２４２や蛇口等に引っ掛けてもよい。また、取付部８２ｂはカラビナのようなものであってもよく、この場合、取付部８２ｂは水管２４３などに引っ掛けてもよい。さらに、取付部８２ｂは吸盤であってもよく、この場合、取付部８２ｂは、陶器などで形成される貯水タンク２４０の側面又は上面等に取り付けてもよい。中継部８２ａは、長さ調整が可能な構成としてもよい。このようにすれば、便座２３１及び貯水タンク２４０などの配置、大きさ、及び形状等が異なる様々な洋式トイレ２００に対し、固定部材８０を用いることができる。フック部８１は、便座２３１の形状等に応じて変形できる構成としてもよい。
【００１８】
開放部材９０は、猫のトイレ室３００への自由な出入りを可能とすべく、ドア枠３２０とドア本体３３０との間に隙間を設けるためのものである。図１では、開放部材９０が、お椀を逆さにしたような形状である例を示しているが、これに限定されない。開放部材９０の水平断面の形状は、円又は楕円に限らず、多角形などであってもよい。加えて、開放部材９０は、円柱状又は角柱状のものであってもよい。さらに、開放部材９０は、例えば、ドア本体３３０を任意の位置で固定するためのドアストッパーであってもよく、ドア枠３２０とドア本体３３０との間に挟まれる棒状のものであってもよい。
【００１９】
図２に示すように、枠部２０は、リム２２０の上面のうち、前側の部分に対応するプラットフォーム部２１を有している。本実施の形態１において、プラットフォーム部２１は、板状かつ平面視で半円状に形成されている。
【００２０】
また、枠部２０は、リム２２０の上面のうち、一側方の部分に対応する第１側方支持部２２と、他側方の部分に対応する第２側方支持部２３と、を有している。第１側方支持部２２及び第２側方支持部２３は、それぞれ、プラットフォーム部２１に接続されている。すなわち、枠部２０は、リム２２０の上面のうち、両側方の部分のそれぞれに対応し、各々がプラットフォーム部２１に接続された２つの側方支持部（２２、２３）を有している。
【００２１】
そして、枠部２０は、第１側方支持部２２とプラットフォーム部２１と第２側方支持部２３とが枠状に並んで形成されており、各々の内側の端部が繋がったＵ字状の内周部２８を有している。本実施の形態１において、第１側方支持部２２及び第２側方支持部２３は板状に形成されている。
【００２２】
載置部３０は、リム２２０の内側に配置され、リム２２０の両側方の部分に挟まれる。本実施の形態１において、載置部３０は、プラットフォーム部２１に接続された前壁部３１と、一方の側方支持部である第１側方支持部２２に接続された第１側壁部３２と、他方の側方支持部である第２側方支持部２３に接続された第２側壁部３３と、を有している。
【００２３】
猫用トイレ１０が洋式トイレ２００に配置された状態において、前壁部３１はプラットフォーム部２１から下方に延び、第１側壁部３２は第１側方支持部２２から下方に延び、第２側壁部３３は第２側方支持部２３から下方に延びている。第１側壁部３２の外面３２ａと、第２側壁部３３の外面３３ａとは、リム２２０の内側面に対向するよう配置される。
【００２４】
また、載置部３０は、前壁部３１、第１側壁部３２、及び第２側壁部３３のそれぞれの下端部に接続された底部３５を有している。ここで、前壁部３１、第１側壁部３２、及び第２側壁部３３のそれぞれの下端部とは、猫用トイレ１０が洋式トイレ２００に配置された状態において、前壁部３１、第１側壁部３２、及び第２側壁部３３のそれぞれの下方の端部のことである。
【００２５】
図３及び図４に示すように、本実施の形態１の枠部２０は、下面に３つの突起部４０を有している。ここで、枠部２０の下面とは、猫用トイレ１０が洋式トイレ２００に配置された状態での、便器本体２１０側、すなわち下側の面である。
【００２６】
より具体的に、プラットフォーム部２１、第１側方支持部２２、及び第２側方支持部２３は、それぞれ、下面に、１つの突起部４０を有している。各突起部４０は、猫用トイレ１０が洋式トイレ２００に配置された状態において、リム２２０の上面に当接するよう配置されている。
【００２７】
突起部４０は、半球状に形成されており、頂部４０ａを有している。ここで、半球状には、円柱状の土台と半球状の部材とを組み合わせた形状等も含まれる。突起部４０は、猫用トイレ１０が洋式トイレ２００に配置された状態において、頂部４０ａがリム２２０の上面に当接する。
【００２８】
猫用トイレ１０は、枠部２０と載置部３０と各突起部４０とが、射出成形により一体的に形成されている。本実施の形態１では、猫用トイレ１０の材料として、樹脂と紙とゴムとの混合材を採用している。より具体的に、猫用トイレ１０の材料は、樹脂を約３９％含み、紙を約５１％含み、ゴムを約１０％含んでいる。このように、猫用トイレ１０は、紙を半分程度含む材料により形成されるため、可燃ゴミとして処分することができる。よって、猫用トイレ１０は、処分する際にマイクロプラスチック問題を考慮する必要がない。また、猫用トイレ１０は、ゴムを１０％程度含む材料で形成されるため、ゴムを含まない材料で形成する場合よりも、粘弾性が高く、割れにくい成形品となっている。
【００２９】
枠部２０は、外周に、他の部分よりも厚みが厚くなった補強部２０ａが形成されている。より具体的に、補強部２０ａは、第１側方支持部２２の載置部３０とは反対側の端部と、プラットフォーム部２１の外周と、第２側方支持部２３の載置部３０とは反対側の端部とにわたり、ひとつながりに形成されている。猫用トイレ１０は、枠部２０の外周に補強部２０ａが形成されていることから、剛性が高まっているため、全体的な変形等を抑制することができる。
【００３０】
枠部２０と載置部３０との接続箇所である内周部２８は、丸みを帯びた形状（Ｒ形状）となっている。同様に、前壁部３１、第１側壁部３２、及び第２側壁部３３と、底部３５との接続箇所である底周部３８は、丸みを帯びた形状（Ｒ形状）となっている。各接続箇所をＲ形状にすることで、金型への混合剤の注入の円滑化を図ると共に、猫用トイレ１０の割れの発生を抑制することができる。載置部３０の深さＨは、載置部３０上の排泄物処理剤に猫が触れないことを考慮して設定される。
【００３１】
次に、猫用トイレ１０の使用例につき、図５〜図７を参照して説明する。ここでは、猫用トイレ１０と受け皿１５０とにより構成される猫用トイレキット１００を用いる例を説明する。かかる構成において、猫用トイレユニット１１０は、猫用トイレキット１００と、固定部材８０と、開放部材９０と、を有することになる。
【００３２】
受け皿１５０は、載置部３０に置かれる紙製又はプラスチック製などの容器である。受け皿１５０は、外周が載置部３０の内周よりもやや小さくなるように形成するとよい。また、受け皿１５０は、載置部３０に置いた状態で、上部が枠部２０の上面と面一となるように形成するとよい。
【００３３】
受け皿１５０は、図５の白抜き矢印のように、猫用トイレ１０の載置部３０に置いて使用する。より具体的に、猫用トイレキット１００は、図６のように、載置部３０に置いた受け皿１５０に、排泄物処理剤を敷いた状態で使用する。排泄物処理剤としては、例えば、おからを主成分とする猫砂など、水溶性でトイレに流せるものが好ましい。以降では、排泄物処理剤のことを猫砂Ｓともいう。水溶性の猫砂Ｓを用いれば、排泄物の付着等した猫砂Ｓを洋式トイレ２００に直接流すことができるため、ユーザのゴミ処理の手間を軽減することができる。
【００３４】
すなわち、猫用トイレ１０は、洋式トイレ２００のリム２２０に配置され、水溶性の猫砂Ｓを敷いた受け皿１５０を載置部３０に載せて使用される。よって、ユーザは、排泄物が付着し又は浸透した猫砂Ｓを便器内に落として流すことにより、猫の排泄物をトイレ室３００内で容易に処分することができ、猫の排泄物の処理を簡便に済ますことができる。
【００３５】
実際には、図７のように、洋式トイレ２００に置かれた猫用トイレ１０に受け皿１５０を載置し、猫砂Ｓを敷いた状態にしておく。すると、尿意又は便意等をもよおした猫Ｊは、トイレ室３００に入り、例えば、プラットフォーム部２１に飛び乗って第１側方支持部２２又は第２側方支持部２３に移動する。そして、猫Ｊは、第１側方支持部２２又は第２側方支持部２３に４本足で立って身体を支え、受け皿１５０つまり載置部３０の上部におしりを出した状態となる。よって、猫Ｊからの排泄物は、受け皿１５０に盛られた猫砂Ｓに落とされる。なお、猫Ｊは、プラットフォーム部２１に立って排泄する場合もある。
【００３６】
ここで、猫用トイレ１０は、載置部３０の深さＨが約５ｃｍとなるように形成するとよい。そして、猫砂Ｓは、底部３５の上面からの高さが２ｃｍ程度となるように受け皿１５０に敷くとよい。このようにすれば、猫の手が猫砂Ｓに届きにくいことから、猫の猫砂Ｓへの接触を抑制することができるため、猫の活動範囲を衛生的に保つことができる。
【００３７】
ところで、猫は、一般に、腎臓病、膀胱炎、及び尿石症などの疾患にかかりやすいとされており、こうした疾患の検査には尿が用いられる。この点、猫用トイレ１０を複数の猫に使用させてみた結果、各猫は、それぞれ、毎回ほぼ同じ場所で排泄することが分かっている。よって、猫用トイレ１０は、図８に例示するように、排尿容器１７０と組み合わせることで、尿の採取に好適に用いることができる。
【００３８】
すなわち、猫用トイレキット１００は、図８に示すように、猫用トイレ１０と、受け皿１５０と、載置部３０に配置する排尿容器１７０と、により構成してもよい。図８の例において、排尿容器１７０は、猫砂Ｓが敷かれた受け皿１５０に置かれており、受け皿１５０を介して載置部３０に配置されている。猫用トイレ１０と排尿容器１７０とを組み合わせた猫用トイレキット１００によれば、猫の排尿時において、猫にストレスを与えることなく、簡単に採尿を行うことができる。
【００３９】
排尿容器１７０は、紙製又はプラスチック製などの使い捨て用の容器でもよく、陶器製などの繰り返し使用可能な容器でもよい。図８では、水平断面が円形状又は楕円形状の排尿容器１７０を例示しているが、これに限らず、排尿容器１７０は、水平断面が多角形状のもの等であってもよい。なお、排尿容器１７０の大きさは、適宜変更することができる。
【００４０】
次いで、図９のフローチャートを参照して、猫用トイレ１０を用いて行う猫のしつけ及び尿の採取に関する流れを説明する。ここでは、猫の排泄用トイレとして、猫用トイレ１０を用いる前に、部屋に配置される従来の猫用トイレ（以下、床置きトイレという。）を使用している前提とする。
【００４１】
まず、これまで使っていた床置きトイレをトイレ室３００に置く（ステップＳ１０１）。併せて、猫用トイレ１０を洋式トイレ２００にセットする（ステップＳ１０２）。つまり、人が洋式トイレ２００を使用しないときは、図７に示すように、洋式トイレ２００に猫用トイレ１０をセットし、猫砂Ｓを敷いた受け皿１５０を置いておく。この段階では、猫をプラットフォーム部２１に載せたりしながら、極力、猫用トイレ１０の上で猫を遊ばせるようにするとよい。
【００４２】
そして、猫が猫用トイレ１０で排泄するようになるまで様子を見る（ステップＳ１０３／Ｎｏ）。猫が猫用トイレ１０で排泄するようになると（ステップＳ１０３／Ｙｅｓ）、床置きトイレをトイレ室３００から撤去する（ステップＳ１０４）。
【００４３】
上記のように、猫が猫用トイレ１０の使用に慣れるまでには、一定期間の訓練が必要となる。一般的な猫は、３週間程度で猫用トイレ１０に慣れ、自然に猫用トイレ１０を使って排泄するようになる。このように、猫用トイレ１０の使用が習慣化されると、猫は、猫砂Ｓには足をつけることなく、枠部２０の上に乗って排泄を行うようになる。
【００４４】
次いで、猫の排泄位置、すなわち、猫の尿がかかる位置が安定するまで様子を見る（ステップＳ１０５／Ｎｏ）。猫の排泄位置が安定すると（ステップＳ１０５／Ｙｅｓ）、ユーザは排泄位置をチェックする（ステップＳ１０６）。
【００４５】
続いて、猫の尿検査が必要になるまで待機し（ステップＳ１０７／Ｎｏ）、猫の尿検査が必要になったとき（ステップＳ１０７／Ｙｅｓ）、例えば図８のように、排尿容器１７０を配置する（ステップＳ１０８）。これにより、次に猫が排尿した際、高確率で尿を採取することができ、尿検査に出すことが可能となる（ステップＳ１０９）。
【００４６】
もっとも、猫の尿検査が必要となったタイミングで、ステップＳ１０６の排泄位置のチェックを行ってもよい。ただし、事前に排泄位置のチェックを行っておけば、緊急時の対応等を迅速に行うことができる。なお、カメラによる撮像画像に基づく画像認識処理及び機械学習などの技術を用いることにより、猫の排泄位置を特定するようにしてもよい。
【００４７】
ところで、猫用トイレ１０の使用が習慣化された猫は、概ね決まった位置で排尿するが、稀に日常とは異なる位置で排尿することもある。こうした事情から、排尿容器１７０は、図１０のように、水平断面が左右方向を長辺とする長方形状となる容器としてもよい。このようにすれば、猫が気まぐれで排泄位置を変えた場合でも、採尿の失敗を回避することができるため、尿検査による疾患の早期発見に寄与することができる。
【００４８】
以上のように、本実施の形態１の猫用トイレ１０は、洋式トイレ２００のリム２２０の上面に沿うように形成され、リム２２０上に配置される枠部２０と、枠部２０の内周部２８に接続され、下方に凹んだ形状の載置部３０と、を有している。そして、枠部２０は、リム２２０の上面のうち、前側の部分に対応するプラットフォーム部２１と、リム２２０の上面のうち、両側方の部分のそれぞれに対応し、各々がプラットフォーム部２１に接続された２つの側方支持部（２２、２３）と、を有している。よって、部屋での猫の排泄をなくすことができるため、猫の排泄物から発生する臭気の部屋での拡散を防止すると共に、部屋の各所に猫砂Ｓが散らばることを防ぐことができる。併せて、枠部２０が排泄の際の猫の足場となるため、猫による猫砂Ｓの撒き散らしを防ぐと共に、各所に猫砂Ｓが散らばることを抑制することができる。したがって、雑菌の床などへの付着及び雑菌の繁殖を未然に防ぎ、室内を衛生的な状態に保つことができる。
【００４９】
また、猫用トイレ１０は洋式トイレ２００にセットされることから、飼い主等は、排泄物が付着し又は浸透した水溶性の猫砂Ｓを、スコップなどを用いて、そのまま便器内に捨てることができる。そのため、猫の糞尿の後始末に要する作業及び手間を軽減することができる。つまり、猫用トイレ１０を用いて猫に排泄されることにより、猫の排泄物の処理が簡便になる。さらに、本実施の形態１の猫用トイレ１０は、枠部２０と載置部３０とが一体的に形成されているため、持ち運びの利便性の向上を図ることができる。
【００５０】
もっとも、猫用トイレ１０は、枠部２０と載置部３０とを別体として形成してもよい。例えば、第１側方支持部２２と第２側方支持部２３と載置部３０とを一体的に形成し、これとは別にプラットフォーム部２１を形成してもよい。このようにすれば、洋式トイレ２００にセットした猫用トイレ１０を別の場所に移動させる際、プラットフォーム部２１をそれ以外の部分に重ねたり、プラットフォーム部２１だけを縦置きにしたりすることができるため、省スペース化を図ることができる。加えて、猫用トイレ１０のうち、プラットフォーム部２１と、それ以外の部分とを、異なる材料で形成することができる。これにより、例えば、猫が飛び乗るプラットフォーム部２１の剛性を、それ以外の部分の剛性よりも大きくしたり、プラットフォーム部２１が相対的に重くなるようにしたりと、細かな調整を行うことができる。
【００５１】
さらに、プラットフォーム部２１は、平面視で半円状に形成されている。すなわち、プラットフォーム部２１は、外周のうちの前側が円弧状になっており、リム２２０の外周に沿うように形成されている。そのため、プラットフォーム部２１は、リム２２０に安定的に載置することができると共に、平面視で矩形状に形成した場合よりも省スペース化を図ることができる。また、プラットフォーム部２１を平面視で矩形状に形成した場合、リム２２０から相対的に遠くなる前側の角の部分に猫が飛び乗ってしまうと、猫用トイレ１０又はプラットフォーム部２１がバランスを崩すおそれがある。この点、プラットフォーム部２１は、平面視で半円状に形成されていることから、リム２２０の外周からプラットフォーム部２１の前側の外周までの距離が概ね等しくなる。そのため、猫用トイレ１０又はプラットフォーム部２１のバランス低下及び位置ずれ等を抑制することができる。
【００５２】
ここで、図３では、半球状の突起部４０を例示したが、突起部４０の形状はこれに限定されない。例えば、プラットフォーム部２１の下面の突起部４０と、第１側方支持部２２及び第２側方支持部２３の下面の突起部４０とは、互いに異なる形状としてもよい。例えば、図１１に例示するように、第１側方支持部２２及び第２側方支持部２３の下面の突起部４０は、平面視で矩形状となるように形成してもよい。この場合の突起部４０は、かまぼこ状に形成し、頂部４０ａがリム２２０に線接触するようにするとよい。
【００５３】
図３及び図１１では、枠部２０が３つの突起部４０を有する例を示したが、これに限定されない。枠部２０は１つの突起部４０を有するように形成してもよい。この場合、図１２に例示するように、突起部４０は、第１側方支持部２２とプラットフォーム部２１と第２側方支持部２３とに跨るように形成するとよい。このようにすれば、突起部４０により、猫用トイレ１０を３方向で支えることができる。そのため、猫用トイレ１０は、水平な状態で安定的にリム２２０に載置される。そして、ひとつながりの突起部４０により、枠部２０の剛性を高めることができるため、猫用トイレ１０の変形等を抑制することができる。
【００５４】
また、枠部２０は、２つの突起部４０を有するように形成してもよい。この場合、一方の突起部４０は、第１側方支持部２２とプラットフォーム部２１とに跨るように配置し、他方の突起部４０は、第２側方支持部２３とプラットフォーム部２１とに跨るように配置するとよい。このようにすれば、猫用トイレ１０を側方から前方に亘って支えることができるため、安定感を高めることができる。さらに、枠部２０は、プラットフォーム部２１の下面に２つ以上の突起部４０を有するようにしてもよい。同様に、枠部２０は、第１側方支持部２２及び第２側方支持部２３のそれぞれの下面に２つ以上の突起部４０を有するようにしてもよい。なお、突起部４０は、スライド機構などにより位置を変更できるものであってもよい。
【００５５】
突起部４０は、枠部２０及び載置部３０とは別体として形成してもよい。突起部４０は、例えば図１３のような形状を採ることができる。図１３の突起部４０は、半球状に形成され、頂部４０ａとは反対側に平坦面４０ｂを有している。このような形状の突起部４０は、平坦面４０ｂに接着剤などを塗布して枠部２０に取り付けてもよい。また、突起部４０は、図１３に示すように、予め平坦面４０ｂに粘着材が付けられ、その上に紙製などのセパレータ４０ｃが付けられたものであってもよい。このようにすれば、突起部４０の位置の自由度が増すことから、リム２２０の形状及び大きさ等に対応づけて突起部４０を柔軟に配置することができるため、猫用トイレ１０の載置時における安定性を高めることができる。もっとも、猫用トイレ１０は、図１３の例に限らず、種々の形状及び数の突起部４０を、枠部２０及び載置部３０とは別体として形成し、枠部２０に後付けするようにしてもよい。
【００５６】
すなわち、枠部２０は、下面に、少なくとも１つの突起部４０を有している。そのため、猫用トイレ１０を安定的に載置することができる。ここで、枠部２０は、図３にも示すように、プラットフォーム部２１が下面に１つの突起部４０を有し、２つの側方支持部（２２、２３）がそれぞれの下面に１つの突起部４０を有するようにするとよい。このようにすれば、猫用トイレ１０が、枠部２０の３つの突起部４０により、３点でバランスよく支持されるため、猫用トイレ１０をリム２２０に安定的に載置することができる。
【００５７】
加えて、１つ又は複数の突起部４０は、ゴムなどの弾性材料により形成してもよい。このようにすれば、弾性材料で形成された突起部４０の変形により、猫用トイレ１０の全体における製造誤差を吸収することができ、より安定的に猫用トイレ１０を載置することができる。ここで、相対的に摩擦係数の高いゴムなどの弾性材料で形成された１又は複数の突起部４０は、枠部２０のリム２２０上での位置ずれを抑制する位置ずれ抑制手段に相当する。つまり、弾性材料で形成された突起部４０は弾性部材に相当する。ゴムなどの弾性材料で突起部４０を形成すれば、猫用トイレ１０の位置ずれを抑制することができる。
【００５８】
さらに、枠部２０が複数の突起部４０を有する場合、一部の突起部４０が枠部２０と一体的に形成され、残りの突起部４０が枠部２０とは別体として形成されるようにしてもよい。このようにすれば、例えば、プラットフォーム部２１の突起部４０は別体として形成し、リム２２０の形状に応じて後付けする、といったような柔軟な使用が可能となる。
【００５９】
もっとも、猫用トイレ１０は、突起部４０を有さないものであってもよい。この場合、猫用トイレ１０は、面ファスナーなどを用いてリム２２０の上面に固定するようにしてもよい。かかる構成における面ファスナーは、位置ずれ抑制手段に相当する。
【００６０】
また、載置部３０は、プラットフォーム部２１に接続された前壁部３１と、第１側方支持部２２に接続された第１側壁部３２と、第２側方支持部２３に接続された第２側壁部３３と、を有している。そして、載置部３０は、前壁部３１、第１側壁部３２、及び第２側壁部３３のそれぞれの下端部に接続された底部３５を有している。よって、受け皿１５０の底面と共に、受け皿１５０における３方向の側面を支えることができるため、受け皿１５０を安定的に載置することができる。
【００６１】
ところで、上記の説明では、猫用トイレ１０が受け皿１５０と組み合わされて使用される例を示したが、これに限定されない。すなわち、猫用トイレ１０は、載置部３０に猫砂Ｓを直接敷いて使用し、受け皿１５０を用いなくてもよい。このようにすれば、載置部３０に汚れが付着することとなるが、受け皿１５０を準備する手間を省くことができ、受け皿１５０の分のコストを削減することができる。なお、かかる構成を採る場合、猫用トイレキット１００は、図１４に例示するように、猫用トイレ１０と排尿容器１７０とにより構成される。
【００６２】
加えて、底部３５は、一部又は全部が網の目状又は簀の子状に形成されていてもよい。このようにすれば、受け皿１５０を用いず、載置部３０に猫砂Ｓを直接敷いて使用する場合、猫の排泄物に含まれる尿などの液体を、直接、リム２２０の内側、つまり便器本体２１０の内部に落とすことができる。
【００６３】
ここで、載置部３０は、前壁部３１を有さなくてもよい。ただし、枠部２０と載置部３０との一体感、猫用トイレ１０の強度、猫用トイレ１０のねじれ及び反りの発生などを考慮すると、載置部３０は、前壁部３１を有するものとした方がよい。なお、載置部３０に猫砂Ｓを直接敷いて利用する場合は、前壁部３１により、猫砂Ｓの便器本体２１０の内部への落下を防ぐことができる。
【００６４】
本実施の形態１の猫用トイレユニット１１０は、便座２３１を貯水タンク２４０に固定する固定部材８０を有している。よって、便座２３１が下がるのを防ぐことができるため、猫が排泄のためにトイレ室３００へ入った際に便座２３１が下がっている状況、及び猫の排泄中に便座２３１が下がり、猫に当たってしまう状況などを回避することができる。したがって、猫に対し、快適な排泄を行う環境を提供することができる。
【００６５】
＜変形例１ａ＞
図１５に示すように、本変形例１ａの猫用トイレ１０は、突起部４０の代わりに受け部４１を有している。受け部４１は、枠部２０の安定載置用、すなわち猫用トイレ１０をリム２２０に安定的に載置するためのものである。受け部４１は、枠部２０及び載置部３０とは別体として形成され、リム２２０の上面に付けられるものである。
【００６６】
受け部４１は、図１４の突起部４０と同様、平坦面を有している。受け部４１は、図１４の突起部４０と同様、平坦面に接着剤などを塗布してリム２２０に取り付けてもよい。また、受け部４１は、図１４に示す突起部のように、予め平坦面に粘着材が付けられ、その上に紙製などのセパレータが付けられたものであってもよい。
【００６７】
図１５の猫用トイレ１０は、３つの受け部４１を有しており、各受け部４１は、図３及び図４の突起部４０と同様、頂部４１ａを有する半球状に形成されている。各受け部４１は、枠部２０をリム２２０に置いた状態で、各々の頂部４１ａが枠部２０に当接する。かかる構成を採れば、枠部２０が突起部４０を有する構成よりも、猫用トイレ１０の位置決めが容易となるため、ユーザの利便性の向上を図ることができる。
【００６８】
図１５に示すように、３つの受け部４１をリム２２０の上面に付ける場合は、各受け部４１が、それぞれ、プラットフォーム部２１、第１側方支持部２２、及び第２側方支持部２３のうちの何れかに１対１で対応するよう配置するとよい。このようにすれば、猫用トイレ１０が、リム２２０上の３つの受け部４１により、３点でバランスよく支持されるため、猫用トイレ１０をリム２２０に安定的に載置することができる。
【００６９】
もっとも、受け部４１の形状は、図１５の例に限らず、図１１及び図１２で例示した突起部４０の形状など、種々の形状を採用することができる。また、猫用トイレ１０における受け部４１の数は、突起部４０と同様、適宜変更することができる。
【００７０】
加えて、受け部４１は、ゴムなどの弾性材料により形成してもよい。このようにすれば、弾性材料で形成された受け部４１の変形により、枠部２０及び載置部３０の製造誤差を吸収することができ、より安定的に猫用トイレ１０を載置することができる。ここで、相対的に摩擦係数の高いゴムなどの弾性材料で形成された１又は複数の受け部４１は、枠部２０のリム２２０上での位置ずれを抑制する位置ずれ抑制手段に相当する。ゴムなどの弾性材料で受け部４１を形成すれば、猫用トイレ１０の位置ずれを抑制することができる。
【００７１】
＜変形例１ｂ＞
本変形例１ｂの猫用トイレ１０は、突起部４０とは別に、リム２２０の上面に付けられる少なくとも１つの受け部４２を有している。受け部４２は、リム２２０の上面における突起部４０に対応する位置に付けられ、枠部２０をリム２２０に設置した際の安定性を高めるものである。ここで、少なくとも１つの受け部４２及び少なくとも１つの突起部４０は、枠部２０のリム２２０上での位置ずれを抑制する位置ずれ抑制手段に相当する。
【００７２】
図１６には、３つの受け部４２がリム２２０の上面に付けられた例を示している。つまり、各受け部４２は、それぞれ、プラットフォーム部２１、第１側方支持部２２、及び第２側方支持部２３のうちの何れかに対応づけられている。本変形例１ｂの受け部４２は、ゴム、ウレタン、又はスポンジなどの弾性体により形成されている。よって、突起部４０が受け部４２に当接した状態において、受け部４２が突起部４０に押されて凹み、突起部４０の位置ずれに対する抵抗が大きくなる。そのため、突起部４０の位置ずれ、すなわち猫用トイレ１０の位置ずれを抑制することができる。ここで、受け部４２は、突起部４０と同数であってもよく、突起部４０よりも少なくてもよい。受け部４２が突起部４０よりも少ない場合、少なくとも１つの受け部４２は、複数の突起部４０が対応づけられるように形成し、配置するとよい。
【００７３】
以上のように、本変形例１ｂにおける位置ずれ抑制手段は、リム２２０の上面に付けられる、枠部２０の安定載置用の少なくとも１つの受け部４２と、枠部２０の下面に設けられた、少なくとも１つの突起部４０と、により構成される。受け部４２は、リム２２０の上面の、突起部４０に対応する位置に付けられ、弾性体により形成されている。よって、猫用トイレ１０を洋式トイレ２００に載置した際、突起部４０によって凹まされた受け部４２が、突起部４０の前後方向及び左右方向の動きを妨げる。すなわち、突起部４０と受け部４２との間の摩擦力と、受け部４２の変形とが相まって、突起部４０の動きを妨げるため、猫用トイレ１０の位置ずれを抑制することができる。
【００７４】
＜変形例１ｃ＞
図１７及び図１８に示すように、本変形例１ｃの猫用トイレ１０は、突起部４０とは別に、リム２２０の上面に付けられる少なくとも１つの受け部４３を有している。受け部４３は、枠部２０をリム２２０に設置した際の安定性を高めるものである。より具体的に、受け部４３は、リム２２０の上面の、突起部４０に対応する位置に付けられ、突起部４０が嵌められる溝部４３ａを有している。これにより、猫用トイレ１０を洋式トイレ２００に載置した際、突起部４０が溝部４３ａに嵌まるため、猫用トイレ１０の前後方向及び左右方向の位置ずれを精度よく抑制することができる。ここで、少なくとも１つの受け部４３及び少なくとも１つの突起部４０は、枠部２０のリム２２０上での位置ずれを抑制する位置ずれ抑制手段に相当する。なお、突起部４０は、枠部２０と一体的に形成されていてもよく、枠部２０に後付けされるものであってもよい。
【００７５】
図１７及び図１８では、突起部４０と受け部４３とが１対１で対応する例を示している。そして、各受け部４３は、それぞれ、突起部４０が嵌められる溝部４３ａを有している。図１７の例では、突起部４０が直方体状に形成されているため、図１８に例示する溝部４３ａの形状も直方体状となっている。もっとも、突起部４０及び溝部４３ａの形状は、相互に対応づけて適宜変更することができる。受け部４３の全体的な形状は、突起部４０の形状にかかわらず、溝部４３ａを形成できる範囲で変更することができる。
【００７６】
ここで、受け部４３は、突起部４０と同数であってもよく、突起部４０よりも少なくてもよい。受け部４３が突起部４０よりも少ない場合、少なくとも１つの受け部４３には、それぞれが突起部４０に対応する複数の溝部４３ａを形成するとよい。
【００７７】
以上のように、本変形例１ｃにおける位置ずれ抑制手段は、リム２２０の上面に付けられる、枠部２０の安定載置用の少なくとも１つの受け部４２と、枠部２０の下面に設けられた、少なくとも１つの突起部４０と、により構成される。受け部４２は、リム２２０の上面の、突起部４０に対応する位置に付けられ、突起部４０が嵌められる溝部４３ａを有するものである。よって、洋式トイレ２００に載置した猫用トイレ１０の突起部４０が溝部４３ａに嵌まるため、猫用トイレ１０の前後方向及び左右方向の位置ずれを精度よく抑制することができる。
【００７８】
＜変形例１ｄ＞
本変形例１ｄの猫用トイレ１０は、洋式トイレ２００に載置した際の安定性を高めるための安定部材６０を有する点に特徴がある。図１９に例示する猫用トイレ１０は、第１側方支持部２２の外側の部分と、第２側方支持部２３の外側の部分とに、安定部材６０を取り付けるための取付穴２０ｂが設けられている。ここで、安定部材６０は、枠部２０のリム２２０上での位置ずれを抑制する位置ずれ抑制手段、又は位置ずれ抑制手段を構成する１つの要素に相当する。
【００７９】
安定部材６０は、取付穴２０ｂを介して枠部２０に取り付けられるバンド部６１と、バンド部６１に連結された固定部６２と、を備えている。図１９では、固定部６２として吸盤を例示している。便器本体２１０は通常、陶器により形成されており、固定部６２としての吸盤をつけることができる。すなわち、本変形例１ｄの猫用トイレ１０によれば、洋式トイレ２００にセットした後、固定部６２を便器本体２１０につけることにより、猫用トイレ１０の位置ずれ等をより確実に防ぐことができる。
【００８０】
バンド部６１は、図１９の構成に限らず、枠部２０に取り付けるための種々の構成を採ることができる。例えば、枠部２０にバンド部６１を取り付けるために、２つのシートからなる面ファスナーを用いる構成を採れば、枠部２０には取付穴２０ｂの代わりに一方のシートが付けられ、バンド部６１には他方のシートが付けられる。さらに、固定部６２は、吸盤ではなく、面ファスナーで構成してもよい。この場合、面ファスナーの一方のシートを便器本体２１０に貼り付け、他方のシートをバンド部６１に取り付けることになる。なお、本変形例１ｄの猫用トイレ１０は、第１側方支持部２２及び第２側方支持部２３のうちの何れか一方に、安定部材６０を設けて構成してもよい。本変形例１ｄの構成は、上述及び後述の各猫用トイレ１０に適用することができる。
【００８１】
＜変形例１ｅ＞
図２等では、箱状に形成された載置部３０を例示したが、載置部３０の形状はこれに限定されず、種々の形状を採ることができる。例えば、図２０のように、載置部３０は、第１側壁部３２と底部３５との接続箇所、及び第２側壁部３３と底部３５との接続箇所が湾曲しており、第１側壁部３２と底部３５と第２側壁部３３とがひとつながりに形成されたものであってもよい。なお、載置部３０は、前壁部３１を設けずに構成してもよい。
【００８２】
また、図２１に示すように、載置部３０は、平面視で円形状又は楕円形状であり、下方に凹んだ半球状の外形となるように形成してもよい。この場合、枠部２０は、プラットフォーム部２１、第１側方支持部２２、及び第２側方支持部２３の他に、第１側方支持部２２と第２側方支持部２３と載置部３０とに接続された後方枠部２４を有するものとなる。本変形例１ｅの構成は、上述及び後述の各猫用トイレ１０に適用することができる。
【００８３】
実施の形態２．
図２２〜図２６を参照し、本実施の形態２の猫用トイレについて説明する。前述した実施の形態１の猫用トイレと同等の構成部材については同一の符号を用いて説明は省略する。本実施の形態２の猫用トイレ１０は、枠部２０のリム２２０上での位置ずれを抑制する位置ずれ抑制手段として、弾性材料により形成され、枠部２０の下面に取り付けられる複数の弾性部材４５を有している。弾性部材４５は、専用の機械を用いて枠部２０の下面に取り付けてもよく、手作業で取り付けてもよい。なお、猫用トイレ１０は、枠部２０の下面に弾性部材４５を取り付けた状態で販売してもよく、弾性部材４５を後付け用の部材とし、ユーザ自身が枠部２０の下面に取り付けるようにしてもよい。
【００８４】
図２２に例示する猫用トイレ１０は、５つの弾性部材４５を有している。より具体的に、猫用トイレ１０は、プラットフォーム部２１と第１側方支持部２２と第２側方支持部２３とのそれぞれに、１つの弾性部材４５が取り付けられている。さらに、猫用トイレ１０は、プラットフォーム部２１と第１側方支持部２２とに跨って取り付けられた弾性部材４５と、プラットフォーム部２１と第２側方支持部２３とに跨って取り付けられた弾性部材４５と、を有している。
【００８５】
そして、本実施の形態２の枠部２０は、弾性部材４５の位置決め用である複数の位置決め部材４６を有している。すなわち、枠部２０は、複数の弾性部材４５の各々に対応づけられた１又は複数の位置決め部材４６を有している。図２２では、１つの弾性部材４５に３つの位置決め部材４６が対応づけられている。位置決め部材４６は、枠部２０及び載置部３０と一体的に形成されている。
【００８６】
図２３の部分断面図に示すように、位置決め部材４６の高さＴｐは、弾性部材４５の高さＴｒよりも低くなっている。例えば、弾性部材４５の高さＴｒは５ｍｍ程度に設定され、位置決め部材４６の高さＴｐは１ｍｍ〜２ｍｍ程度に設定される。
【００８７】
図２３及び図２４に示すように、各弾性部材４５は、それぞれ、リム２２０に接触する接触面４５ａを有している。すなわち、各弾性部材４５は、それぞれ、猫用トイレ１０が洋式トイレ２００に配置された状態において、接触面４５ａの少なくとも一部がリム２２０の上面に接触するようになっている。ここで、弾性部材４５は、接触面４５ａとは反対側の面に接着剤などを塗布して枠部２０に取り付けてもよい。また、弾性部材４５は、図１３の突起部４０と同様、接触面４５ａとは反対側の面に予め粘着材が付けられ、その上に紙製などのセパレータが付けられたものであってもよい。
【００８８】
図２２に例示する位置決め部材４６は、図２４に示すように、弾性部材４５の外周に沿うように形成され、直方体状の基部４６ａと、基部４６ａに接続された２つの補足部４６ｂと、を有している。基部４６ａは、２つの補足部４６ｂによって挟まれている。各補足部４６ｂは、それぞれ、基部４６ａから離れるほど高さが低くなるテーパ状に形成されている。
【００８９】
もっとも、位置決め部材４６の形状は、図２４の例に限らず、種々の形状を採ることができる。また、１つの弾性部材４５に対応づけられる位置決め部材４６は、１つ又は２つでもよく、４つ以上でもよい。図２５のように、位置決め部材４６は、弾性部材４５の外周の下半分程度を覆うように形成された環状の部材であってもよい。
【００９０】
図２２では、猫用トイレ１０が５つの弾性部材４５を有する例を示したが、これに限定されない。例えば、猫用トイレ１０は、３つの弾性部材４５を有するようにしてもよい。つまり、猫用トイレ１０は、プラットフォーム部２１、第１側方支持部２２、及び第２側方支持部２３のそれぞれに、１つの弾性部材４５を取り付けて構成してもよい。この場合、図２６に示すように、第１側方支持部２２に取り付けられる弾性部材４５は、プラットフォーム部２１と第１側方支持部２２とに跨っていてもよい。同様に、第２側方支持部２３に取り付けられる弾性部材４５は、プラットフォーム部２１と第２側方支持部２３とに跨っていてもよい。弾性部材４５は、図２２のような平面視で円形状のものに限らず、平面視で長円形状又は楕円形状のものであってもよく、平面視で多角形状のものであってもよい。弾性部材４５は、図２６の例のように、平面視で全体が湾曲した形状を採ってもよい。
【００９１】
さらに、猫用トイレ１０は、２つの弾性部材４５を有するようにしてもよい。この場合、猫用トイレ１０は、プラットフォーム部２１と第１側方支持部２２とに跨って取り付けられる弾性部材４５と、プラットフォーム部２１と第２側方支持部２３とに跨って取り付けられる弾性部材４５と、を有するとよい。加えて、猫用トイレ１０は、１つの弾性部材４５を有するようにしてもよい。この場合、弾性部材４５は、図１２に示す突起部４０と同様、第１側方支持部２２とプラットフォーム部２１と第２側方支持部２３とに跨るように形成するとよい。
【００９２】
また、猫用トイレ１０は、６つ以上の弾性部材４５を有するようにしてもよい。プラットフォーム部２１には、２つ以上の弾性部材４５が設けられてもよく、第１側方支持部２２には、２つ以上の弾性部材４５が設けられてもよく、第２側方支持部２３には、２つ以上の弾性部材４５が設けられてもよい。加えて、各弾性部材４５のそれぞれに対応づけられる位置決め部材４６の数及び形状は、弾性部材４５の形状及び配置などに応じて、弾性部材４５ごとに個別に設定してもよい。
【００９３】
以上のように、本実施の形態２の猫用トイレ１０によっても、猫の排泄物から発生する臭気の部屋での拡散を防止すると共に、各所に猫砂Ｓが散らばることを防ぐことができる。また、本実施の形態２の猫用トイレ１０は、弾性材料により形成され、枠部２０の下面に取り付けられる複数の弾性部材４５を有している。そして、各弾性部材４５は、それぞれ、リム２２０に接触する接触面４５ａを有している。そのため、複数の弾性部材４５がリム２２０に面で接触するため、複数の弾性部材４５とリム２２０との間の摩擦力により、猫用トイレ１０の位置ずれを抑制することができる。例えば図２２のように、５つの弾性部材４５を枠部２０にバランスよく配置すれば、猫用トイレ１０の位置ずれを精度よく抑制することができる。なお、接触面４５ａは、複数の突起を有する形状、網目状、表面が波打つような形状など、摩擦力を高めるための加工（滑り止め加工）が施されていてもよい。さらに、弾性部材４５は、弾性材料により形成された層を接触面４５ａ側に有する多層構造としてもよい。ここで、弾性部材４５を２層構造とする場合、例えば、弾性部材４５は、枠部２０側の層を枠部２０と一体的に形成し、この層に接触面４５ａ側の層を後付けする構成としてもよい。
【００９４】
また、枠部２０は、弾性部材４５の位置決め用である複数の位置決め部材４６を有しており、各弾性部材４５には、それぞれ、１又は複数の位置決め部材４６が対応づけられている。よって、猫用トイレ１０の製造業者又はユーザは、弾性部材４５の取付位置を一見して把握することができるため、弾性部材４５の取付作業を容易かつ円滑に行うことができる。もっとも、猫用トイレ１０は、位置決め部材４６を設けずに構成してもよく、一部の弾性部材４５だけに位置決め部材４６を対応づけて配置してもよい。
【００９５】
本実施の形態２の猫用トイレ１０は、実施の形態１と同様に、猫用トイレキット１００及び猫用トイレユニット１１０を構成することができる。また、上述した実施の形態１の各構成、代替構成、変形例１ｄ及び１ｅの構成は、実施の形態２の猫用トイレ１０にも適用することができる。
【００９６】
＜変形例２ａ＞
本変形例２ａの猫用トイレ１０は、位置ずれ抑制手段として、弾性材料によりシート状に形成され、枠部２０の下面に取り付けられた少なくとも１つのシート部材４７を有している。シート部材４７は、例えばシリコンゴムにより形成される。図２７では、猫用トイレ１０が１つのシート部材４７を有する例を示している。なお、図２７では、シート部材４７を明示するため、シート部材４７の箇所にドットを付している。
【００９７】
図２７の猫用トイレ１０は、補強部２０ａを除く、枠部２０の下面の全面にシート部材４７が貼られている。よって、リム２２０の形状及び大きさ等を気することなく、猫用トイレ１０をリム２２０にセットすることができるため、ユーザの利便性の向上を図ることができる。もっとも、シート部材４７は、図２７の例に限らず、例えばプラットフォーム部２１の前側の部分など、リム２２０と対向する可能性の高い部分だけに貼り付けられる形状としてもよい。
【００９８】
また、猫用トイレ１０は、複数のシート部材４７を有していてもよい。例えば、猫用トイレ１０は、プラットフォーム部２１に対応するシート部材４７と、第１側方支持部２２に対応するシート部材４７と、第２側方支持部２３に対応するシート部材４７と、を有するようにしてもよい。このようにすれば、特に、シート部材４７を手作業で枠部２０に貼り付ける場合の作業性を高めることができる。
【００９９】
実施の形態３．
図２８及び図２９を参照し、本実施の形態３の猫用トイレについて説明する。上述した実施の形態１及び２の猫用トイレと同等の構成部材については同一の符号を用いて説明は省略する。図２８及び図２９に示すように、本実施の形態３の猫用トイレ１０は、第１側壁部３２及び第２側壁部３３に接続された後壁部３４を有している。
【０１００】
図２８の後壁部３４は、第１側壁部３２の後端部と第２側壁部３３の後端部とで挟まれるように形成され、底部３５の後端部に接続されている。一方、図２９の後壁部３４は、第１側壁部３２の後端と第２側壁部３３の後端とに接続されており、後壁部３４と底部３５との間に隙間が存在している。
【０１０１】
もっとも、後壁部３４の形状及び配置などは、図２８及び図２９の例に限定されない。例えば、底部３５に接続された図２８のような後壁部３４が、図２９のように、第１側壁部３２の後端と第２側壁部３３の後端とに接続されていてもよい。また、底部３５に接続されていない図２９のような後壁部３４が、図２８のように、第１側壁部３２の後端部と第２側壁部３３の後端部とで挟まれるように形成されてもよい。加えて、後壁部３４は、第１側壁部３２及び第２側壁部３３と同様、枠部２０と高さが等しくなるように形成してもよい。なお、後壁部３４は、１つの板状の部材に限らず、２つ以上の板状の部材又は棒状の部材で構成されてもよい。
【０１０２】
以上のように、本実施の形態２の猫用トイレ１０は、後壁部３４を有することから、載置部３０に受け皿１５０を置いて猫用トイレ１０を使用する場合には、受け皿１５０を、より安定的に支持することができる。また、本実施の形態２の猫用トイレ１０は、第１側壁部３２と第２側壁部３３とが後壁部３４を介してつながっていることから、部材間の結合性が高まるため、全体としての強度を高めることができる。上述した実施の形態１及び２の各構成、代替構成、各変形例の構成は、実施の形態３の猫用トイレ１０にも適用することができる。
【０１０３】
実施の形態４．
図３０及び図３１を参照し、本実施の形態４の猫用トイレについて説明する。なお、図３１では、位置決め部材４６を省略している。上述した実施の形態１〜３の猫用トイレと同等の構成部材については同一の符号を用いて説明は省略する。本実施の形態４の猫用トイレ１０は、載置部３０の底部３５に、穴状又は切欠き状の開口部Ｏが形成されている。すなわち、猫用トイレ１０は、底部３５における少なくとも中央の箇所が開口している。
【０１０４】
図３０に例示する底部３５は、第１側壁部３２に接続された第１底部３５ａと、第２側壁部３３に接続された第２底部３５ｂと、前壁部３１に接続された第３底部３５ｃと、を有している。すなわち、図３０の開口部Ｏは、第１底部３５ａ、第２底部３５ｂ、及び第３底部３５ｃにおける、底部３５の中心側の端部をひとつながりの輪郭とし、切欠き状に形成されている。つまり、図３０の底部３５は、平面視でＵ字状に形成されている。ここで、底部３５において、開口部Ｏの輪郭となる部分のことを輪郭部Ｏｃという。
【０１０５】
図３１に例示する底部３５は、第１側壁部３２に接続された第１底部３５ａと、第２側壁部３３に接続された第２底部３５ｂと、前壁部３１に接続された第３底部３５ｃと、後壁部３４に接続された第４底部３５ｄと、を有している。すなわち、図３１の開口部Ｏは、第１底部３５ａ、第２底部３５ｂ、第３底部３５ｃ、及び第４底部３５ｄにおける、底部３５の中心側の端部をひとつながりの輪郭とし、穴状に形成されている。つまり、図３１の底部３５は、平面視でＯ字状に形成されている。
【０１０６】
本実施の形態４の猫用トイレ１０は、初期の段階では、載置部３０に受け皿１５０を載せた状態で猫に排泄させることが前提となっている。そして、猫が猫用トイレ１０の使用に慣れてきた段階で、受け皿１５０を載せずに猫用トイレ１０を洋式トイレ２００にセットする。すると、猫は、底部３５に開口部Ｏが形成された猫用トイレ１０を用い、違和感なく排泄するようになる。そうなると、猫からの排泄物が開口部Ｏを通って直接便器内へ落ちることから、飼い主等は猫砂Ｓなどを処分する必要がなくなるため、猫の糞尿の後始末に要する作業及び手間をさらに軽減することができる。さらに、排泄物の付着・浸透した猫砂Ｓが放置される状況を回避することができるため、トイレ室３００内での臭気の発生を抑制することができる。
【０１０７】
ここで、底部３５は、例えば、第１底部３５ａ及び第２底部３５ｂだけで構成してもよく、第３底部３５ｃ及び第４底部３５ｄだけで構成してもよい。このようにしても、猫用トイレ１０は、載置部３０に受け皿１５０を載せて使用することができる。また、図３０の例に関して、底部３５は第４底部３５ｄを有していてもよい。さらに、図３１の例に関して、猫用トイレ１０は、前壁部３１及び後壁部３４のうちの少なくとも一方を有していなくてもよい。
【０１０８】
第１底部３５ａ、第２底部３５ｂ、第３底部３５ｃ、及び第４底部３５ｄの、底部３５の中心側への延び幅は、受け皿１５０を載置できるだけの長さを確保しつつ、種々の猫に対応させるために、可能な限り短くするとよい。図３０及び図３１では、輪郭が平面視で長方形状となるうように形成された開口部Ｏを例示したが、これに限定されない。例えば、開口部Ｏの輪郭は、平面視で円形状又は楕円形状等であってもよい。
【０１０９】
また、輪郭部Ｏｃは、補強部２０ａと同様、他の部分よりも厚みが厚くなるようにしてもよい。このようにすれば、底部３５の剛性を高めることができる。ところで、受け皿１５０なしでの猫用トイレ１０の使用を開始するときは、猫を安心させるために、底部３５に猫砂Ｓを敷いておくことも想定される。よって、輪郭部Ｏｃの厚みを厚くする場合、上側（補強部２０ａとは反対側）に凸となるようにするとよい。このようにすれば、猫砂Ｓの便器内への落下を抑制することができるため、猫砂Ｓの使用量の削減を図ることができる。
【０１１０】
以上のように、本実施の形態４の猫用トイレ１０によっても、猫の排泄物から発生する臭気の部屋での拡散を防止すると共に、各所に猫砂Ｓが散らばることを防ぐことができる。また、本実施の形態４の猫用トイレ１０は、底部３５に、穴状又は切欠き状の開口部Ｏが形成されている。よって、猫用トイレ１０を用いて猫が排泄した際、その排泄物は、開口部Ｏを通って直接便器内へ落ちるため、猫の糞尿の後始末に要する作業及び手間をさらに軽減し、トイレ室３００内での臭気の発生を抑制することができる。上述した実施の形態１〜３の各構成、代替構成、各変形例の構成は、実施の形態４の猫用トイレ１０にも適用することができる。例えば、図２０の猫用トイレ１０は、底部３５に、穴状又は切欠き状の開口部を有していてもよい。また、図２１の猫用トイレ１０は、載置部３０における中央の任意の領域に開口部を有していてもよい。
【０１１１】
実施の形態５．
本実施の形態５の猫用トイレ１０は、コントローラ部２５０の上部を覆うパネルカバー７０を有している。つまり、本実施の形態５の猫用トイレ１０は、一方の側方にコントローラ部を有する洋式トイレ２００への適用が前提となっている。
【０１１２】
図３２に例示するパネルカバー７０は、コントローラ部２５０の内側の面、つまり便器本体２１０側の面に固定される板状の補助部７１と、操作パネル２５１を覆う板状の被覆部７２と、を有している。被覆部７２は、操作パネル２５１の上部を覆い、操作パネル２５１への接触を防ぐものである。被覆部７２の下面には、フェルトなどの保護シートを貼るとよい。補助部７１と被覆部７２とは、境界部７１ａで接続されており、補助部７１と被覆部７２とのなす角θ１は可変となっている。
【０１１３】
パネルカバー７０は、例えば図３３に示すように、補修テープなどのテープ７５によってコントローラ部２５０に取り付けられる。パネルカバー７０は、補助部７１と被覆部７２とのなす角θ１は可変であるため、コントローラ部２５０への取付作業を円滑に行うことができる。もっとも、パネルカバー７０は、１つ又は複数の、両面テープ、面ファスナー、又はホックなどを用いてコントローラ部２５０に取り付けてもよい。また、パネルカバー７０は、補助部７１を設けずに、被覆部７２だけで構成してもよい。
【０１１４】
以上のように、本実施の形態５の猫用トイレ１０は、操作パネル２５１の上部を覆うパネルカバー７０を有している。そのため、排泄する際に、猫が操作パネル２５１のおしりボタンなどに触れ、猫用トイレ１０が濡れたり、トイレ室３００が水浸しになったりする事態を避けることができる。また、パネルカバー７０は、枠部２０及び載置部３０とは別体として形成されているため、ユーザは、コントローラ部２５０に合わせた形状のパネルカバー７０を選んで使用することができる。よって、引っ越しやトイレの改装などでコントローラ部２５０の形状が変わった場合でも、パネルカバー７０のみを買い替えることで、猫用トイレ１０を継続的に使用することができ、操作パネル２５１への猫の接触を防ぐことができる。
【０１１５】
他の効果については、上述した各実施の形態と同様である。また、上述した実施の形態１〜４の各構成、代替構成、各変形例の構成は、実施の形態５の猫用トイレ１０にも適用することができる。例えば、パネルカバー７０は、猫用トイレキット１００の猫用トイレ１０の構成として採用することもでき、猫用トイレユニット１１０の猫用トイレ１０の構成としても採用することもできる。
【０１１６】
実施の形態６．
本実施の形態６の猫用トイレ１０は、洋式トイレ２００の便座に適用されるものであるが、全体的には、上述した各実施の形態の構成と同様である。そのため、具体的な図示は省略し、上述した各実施の形態と同等の構成部材については、同一の符号を用いて説明は省略する。
【０１１７】
猫用トイレ１０は、便座２３１の上面に沿うように形成され、便座２３１上に配置される枠部２０と、枠部２０の内周部２８に接続され、下方に凹んだ形状の載置部３０と、を有している。枠部２０は、便座２３１の上面のうち、前側の部分に対応するプラットフォーム部２１を有している。また、枠部２０は、便座２３１の上面のうち、一側方の部分に対応する第１側方支持部２２と、便座２３１の上面のうち、他側方の部分に対応する第２側方支持部２３と、を有している。第１側方支持部２２及び第２側方支持部２３は、何れも、プラットフォーム部２１に接続されている。
【０１１８】
すなわち、本実施の形態６の猫用トイレ１０は、リム２２０ではなく、便座２３１に置かれるように構成されており、枠部２０及び載置部３０の大きさ及び形状は、便座２３１に合わせて決められている。他の構成は、上述した各実施の形態と同様である。
【０１１９】
以上のように、本実施の形態６の猫用トイレ１０は、便座２３１上に配置される枠部２０と、下方に凹んだ形状の載置部３０と、を有している。枠部２０は、便座２３１の上面のうち、前側の部分に対応するプラットフォーム部２１と、便座２３１の上面のうち、両側方の部分のそれぞれに対応し、各々がプラットフォーム部２１に接続された２つの側方支持部（２２、２３）と、を有している。よって、トイレ室３００で猫に排泄させ、部屋での猫の排泄をなくすことができるため、猫の排泄物から発生する臭気の部屋での拡散を防止すると共に、部屋の各所に猫砂Ｓが散らばることを防ぐことができる。併せて、枠部２０が排泄の際の猫の足場となるため、猫による猫砂Ｓの撒き散らしを防ぐと共に、各所に猫砂Ｓが散らばることを抑制することができる。したがって、雑菌の床などへの付着及び雑菌の繁殖を未然に防ぎ、室内を衛生的な状態に保つことができる。上述した実施の形態１〜５の各構成、代替構成、各変形例の構成は、実施の形態６の猫用トイレ１０にも適用することができる。他の効果は、上述した各実施の形態と同様である。
【０１２０】
ここで、上述した各実施の形態は、猫用トイレ及び猫用トイレユニットにおける好適な具体例であり、本発明の技術的範囲は、これらの態様に限定されるものではない。例えば、上記の説明では、猫用トイレユニット１１０が、各実施の形態における猫用トイレ１０又は猫用トイレキット１００と、固定部材８０と、開放部材９０と、により構成される例を示したが、これに限定されない。猫用トイレユニット１１０は、開放部材９０を含めず、猫用トイレ１０又は猫用トイレキット１００と、固定部材８０と、により構成してもよい。
【０１２１】
上述した突起部４０は、少なくともリム２２０に接触する頂部４０ａが、相対的に摩擦係数の高いゴム製などの位置ずれ抑制部材（図示せず）で覆われていてもよい。かかる構成を採れば、突起部４０が樹脂などで形成されていても、突起部４０の全体がゴム製の場合と同様、猫用トイレ１０の位置ずれを抑制することができる。同様に、上述した受け部４１は、少なくとも頂部４１ａが、相対的に摩擦係数の高いゴム製などの位置ずれ抑制部材（図示せず）で覆われていてもよい。このようにしても、受け部４１の全体がゴム製などの場合と同様、猫用トイレ１０の位置ずれを抑制することができる。
【０１２２】
上記の説明では、猫用トイレ１０の材料として、樹脂を約３９％含み、紙を約５１％含み、ゴムを約１０％含む混合剤を例示したが、樹脂、紙、及びゴムの配合比率は、これに限定されず、適宜変更することができる。また、猫用トイレ１０の材料は、樹脂と紙とゴムとの混合材に限定されない。猫用トイレ１０は、任意の１つの材料又は複数の材料を組み合わせて形成することができる。
【０１２３】
さらに、枠部２０は、２つの側方支持部（２２、２３）のうちの少なくとも一方が、対応する側壁部（３２、３３）に対向するように形成されたガード部（図示せず）を有していてもよい。すなわち、第１側方支持部２２は、第１側壁部３２とは反対側の端部の全体又は一部から下方に伸びるガード部を有していてもよい。同様に、第２側方支持部２３は、第２側壁部３３とは反対側の端部の全体又は一部から下方に伸びるガード部を有していてもよい。このようにすれば、猫用トイレ１０の横方向の位置ずれを抑制することができるため、猫用トイレ１０を洋式トイレ２００に、より安定的に載置することができる。
【符号の説明】
【０１２４】
１０  猫用トイレ、２０  枠部、２０ａ  補強部、２０ｂ  取付穴、２１  プラットフォーム部、２２  第１側方支持部、２３  第２側方支持部、２４  後方枠部、２８  内周部、３０  載置部、３１  前壁部、３２  第１側壁部、３２ａ、３３ａ  外面、３３  第２側壁部、３４  後壁部、３５  底部、３５ａ  第１底部、３５ｂ  第２底部、３５ｃ  第３底部、３５ｄ  第４底部、３８  底周部、４０  突起部、４０ａ、４１ａ  頂部、４０ｂ  平坦面、４０ｃ  セパレータ、４１、４２、４３  受け部、４３ａ  溝部、４５  弾性部材、４５ａ  接触面、４６  位置決め部材、４６ａ  基部、４６ｂ  補足部、４７  シート部材、６０  安定部材、６１  バンド部、６２  固定部、７０  パネルカバー、７１  補助部、７１ａ  境界部、７２  被覆部、８０  固定部材、８１  フック部、８２  連結部、８２ａ  中継部、８２ｂ  取付部、８３  固着部、８３ａ  係合部、９０  解放部材、１００  猫用トイレキット、１１０  猫用トイレユニット、１５０  受け皿、１７０  排尿容器、２００  洋式トイレ、２１０  便器本体、２２０  リム、２３１  便座、２３２  便座カバー、２４０  貯水タンク、２４２  レバー、２４３  水管、２５０  コントローラ部、２５１  操作パネル、３００  トイレ室、３１０  扉部、３２０  ドア枠、３３０  ドア本体。
【要約】
【課題】猫の排泄物から発生する臭気の部屋での拡散を防ぐと共に、排泄物処理剤が各所に散らばることを抑制する猫用トイレ、猫用トイレキット、及び猫用トイレユニットを提供すること。
【解決手段】Ｕ字状に形成されたリムを有する洋式トイレに適用される猫用トイレである。猫用トイレは、リムの上面に沿うように形成され、リム上に配置される枠部と、枠部の内周部に接続され、下方に凹んだ形状の載置部と、を有する。枠部は、リムの上面のうち、前側の部分に対応するプラットフォーム部と、リムの上面のうち、両側方の部分のそれぞれに対応し、各々がプラットフォーム部に接続された２つの側方支持部と、を有する。
【選択図】図１【図１】
0006713142.tif 000002
【図２】
0006713142.tif 000003
【図３】
0006713142.tif 000004
【図４】
0006713142.tif 000005
【図５】
0006713142.tif 000006
【図６】
0006713142.tif 000007
【図７】
0006713142.tif 000008
【図８】
0006713142.tif 000009
【図９】
0006713142.tif 000010
【図１０】
0006713142.tif 000011
【図１１】
0006713142.tif 000012
【図１２】
0006713142.tif 000013
【図１３】
0006713142.tif 000014
【図１４】
0006713142.tif 000015
【図１５】
0006713142.tif 000016
【図１６】
0006713142.tif 000017
【図１７】
0006713142.tif 000018
【図１８】
0006713142.tif 000019
【図１９】
0006713142.tif 000020
【図２０】
0006713142.tif 000021
【図２１】
0006713142.tif 000022
【図２２】
0006713142.tif 000023
【図２３】
0006713142.tif 000024
【図２４】
0006713142.tif 000025
【図２５】
0006713142.tif 000026
【図２６】
0006713142.tif 000027
【図２７】
0006713142.tif 000028
【図２８】
0006713142.tif 000029
【図２９】
0006713142.tif 000030
【図３０】
0006713142.tif 000031
【図３１】
0006713142.tif 000032
【図３２】
0006713142.tif 000033
【図３３】
0006713142.tif 000034